(57)【特許請求の範囲】
【請求項１】
フラットベッド式及びシートフィード式でスキャニング可能なスキャナコア構造であって、
上端に第一開放溝及び第二開放溝を有するケースと、
前記ケース内で前記第一開放溝の近傍に設置され、前記フラットベッド式のスキャナの時に、必要な光源である第一光源と、
前記第二開放溝の近傍に設置され、前記シートフィード式のスキャナの時に必要な光源である第二光源と、
前記第一開放溝の下端に設置され、前記第一開放溝から射入する第一光線を反射する第一ミラーと、
前記第二開放溝の下端に設置され、前記第二開放溝から射入する第二光線を反射する第二ミラーと、
前記第一ミラーと前記第二ミラーとの間に設置される活動式ミラーと、
前記第一ミラー或いは前記活動式レンズから導入する前記第一光線或いは前記第二光線を順に反射するミラー群と、
前記ミラー群から導入する前記第一光線或いは前記第二光線を集光するレンズと、
前記レンズから集光される前記第一光線或いは前記第二光線を受信すると共に、前記第一光線或いは前記第二光線を電子信号に転換する光線検知素子と、
を含み、
前記第一ミラーと前記第二ミラーの間には像面があり、前記第一ミラーと前記第二ミラーは、前記像面に対して対称的に配置され、
前記フラットベッド式でスキャニングを行う時は、前記活動ミラーが前記第一ミラーからの前記第一光線を通過させ、前記シートフィード式でスキャニングを行う時は、前記活動式レンズの反射面が前記像面と重なり合い、前記第二ミラーからの前記第二光線を前記ミラー群へ反射させ、
前記フラットベッド式及び前記シートフィード式でスキャニングを行う時は、前記コア構造が同じ長さのスキャンの光経路を有する、
ことを特徴とするスキャナコア構造。
【請求項２】
さらに活動式遮光板が前記第一開放溝と前記第二開放溝の下にあり、前記第一開放溝或いは前記第二開放溝を覆うことを特徴とする請求項１に記載するスキャナコア構造。
【発明の詳細な説明】
【技術分野】
【０００１】
本発明はスキャナのコア構造であり、特に２つの光源と切替可能な光の経路を備えるコア構造である。
【背景技術】
【０００２】
ユーザーが大量のシートをスキャンする際、一度に一枚のシートしかスキャンできないフラットベッド式スキャナではユーザーが満足することができない。そこで、自動シートフィード装置を搭載し、図１Ａの示すように、フラットベッド式のスキャンを行い、かつ図１Ｂの示すように、シートフィード式のスキャンを行うことのできるスキャナが目下スキャナの主流である。
【０００３】
続いて図１Ａ、図１Ｂに示すように、一般によく見かけるスキャナ１は、やはりフラットベッド式のスキャナと同じコア構造１０を用いており、シートフィード式のスキャンを行う際、コア構造１０をスキャナウィンドウ１１の真下に移動させてからスキャンせねばならず、このタイプのスキャナ１の内部にはシートフィード式のスキャンを行う際のコア構造１０を収納する収納空間１２がある程度必要であるので、スキャナ１全体の体積が大きくならざるをえない。
【発明の開示】
【発明が解決しようとする課題】
【０００４】
上述の発明の背景で記載された既存のスキャナが、シートフィード式のスキャンをする際、コア構造を収納するための空間が必要とするに鑑み、そのため、スキャナ全体の体積が大きくなってしまうという問題点があり、このため、スキャナのコア構造を発明した目的は、シートフィード式のスキャンをする際、コア構造が移動する距離を減らすことで、スキャナ全体の体積を減らすことである。
【課題を解決するための手段】
【０００５】
上述の目的による本発明はスキャナのコア構造であり、このコア構造は、第一光源、第二光源、第一ミラー、第二ミラー、活動式ミラー、ミラー群、レンズ、光線感知器、および上述の各光学部品を収納するケースを含む。そのケース上には、第一開放溝と第二開放溝があり、第一光源は第一開放溝の近くに設置され、フラットベッド式のスキャンを行う際に必要な第一光線を提供し、第二光源は第二開放溝の近くに設置され、シートフィード式のスキャンを行う際に必要な第二光線を提供する。このほかに、第一ミラーは第一開放溝の下にあり、第一開放溝から射入する第一光線を反射する。第二ミラーは第二開放溝の下にあり、第二開放溝から射入する第二光線を反射する。活動式ミラーはフラットベッド式スキャンを行う際、第一光線を通過させ、シートフィード式のスキャンを行う際には第二ミラーから入る第二光線を反射する。ミラー群は第一ミラーもしくは活動式ミラーから射入する第一光線もしくは第二光線を順に反射し、レンズ内に集光する。最後に、第一光線もしくは第二光線はレンズを経て、光線検知素子により電子信号に転換される。さらに活動式遮光板が前記第一開放溝と前記第二開放溝の下にあり、前記第一開放溝或いは前記第二開放溝を覆う。
【０００６】
本発明のスキャナのコア構造は、２つの光源を用い、切換可能な光の経路を設計しており、シートフィード式のスキャンを行う際、スキャナ内の必要な予備空間を減らし、スキャナの体積を減らすことができる。
【発明を実施するための最良の形態】
【０００７】
［実施例］
本発明の好ましい実施例によれば、スキャナのコア構造を用い、このコア構造はフラットベッド式、シートフィード式のスキャンを行う際の光の経路の切替および各光学部品の配置図は図２Ａ、図２Ｂに示している。
【０００８】
図２Ａ，図２Ｂに示すように、本実施例はスキャナ２内のコア構造２０は光源２２Ａ，２２Ｂ，ミラー２３Ａ、２３Ｂ，活動式ミラー２４，ミラー群２５，レンズ２６，光線検知素子２７および上述の各光学部品を収納するケース２８を含む。その中で、ケース２８上には２つの開放溝２８Ａ，２８Ｂがあり、それに対応して、２つの光源２２Ａと２２Ｂが２つの開放溝２８Ａ，２８Ｂの近くにある。このように、スキャナ２が図２Ａの示すフラットベッド式のスキャンもしくは図２Ｂの示すシートフィード式のスキャンを行う際、光源２２Ａもしくは２２Ｂは、シート３Ａもしくは３Ｂ上をそれぞれ照らし、シート３Ａもしくは３Ｂから反射してきた光線を開放溝２８Ａもしくは２８Ｂを経て、ケース２８内に集光する。
【０００９】
本コア構造２０には２つの開放溝２８Ａ，２８Ｂがあり、スキャナ２をフラットベッド式のスキャンからシートフィード式のスキャンに切り替える際、コア構造２０は少し移動するだけでよいか、コア構造２０を全く移動させる必要がなく、開放溝２８Ｂはスキャンウィンドウ２１の下にあり、光の経路を直接切り替えられ、シートフィード式のスキャンを行うことができる。このように、スキャン２は既存の技術で一般に必要であった予備の空間にシートフィード式のスキャンをする際のコア構造を収納する必要がなく、そのため、スキャナ２の体積を小さくすることができる。
【００１０】
本実施例のコア構造２０に於いて、それぞれの光源２２Ａもしくは２２Ｂは２つの蛍光灯で構成されているが、一つの蛍光灯だけでもよい。スキャナ２が図２Ａの示すようにフラットベッド式のスキャンを行う際、コア構造２０は光源２２Ａを開き、もう一方の光源２２Ｂを閉じる。同様に、スキャナ２は図２Ｂの示すようにシートフィード式のスキャンを行う際、光源２２Ｂを開き、光源２２Ａを閉じる。
【００１１】
続いて、図２Ａ，図２Ｂに示すように、本実施例のコア構造２０はフラットベッド式スキャンとシートフィード式のスキャンにそれぞれ用いる２つの開放溝２８Ａ，２８Ｂがあり、開放溝２８Ａ，２８Ｂの下にはそれぞれに対応したミラー２３Ａと２３Ｂがある。その中で、ミラー２３Ａは開放溝２８Ａの射入する光線を受け、この光線を複数のミラーで構成するミラー群２５の中に反射する。一方、ミラー２３Ｂは開放溝２８Ｂの射入する光線を受け、活動式ミラー２４と組み合わせ、光線を同じくミラー群２５の中に反射する。とりわけ、本実施例のコア構造２０の中で、活動式ミラー２４は使用しているスキャン方式によって角度を変えることができ、というのは、スキャン２がフラットベッド式のスキャンを行う際、活動式ミラー２４は角度を水平（もしくは斜め）にしてミラー２３Ａからミラー群２５に送る光線を通過させることができる。また、スキャン２がシートフィード式のスキャンを行う際、活動式ミラー２４は角度を垂直にしてミラー２３Ｂから送る光線をミラー群２５の中に反射させることができる。
【００１２】
図２Ａと図２Ｂによって、スキャナ２がフラットベッド式、シートフィード式のスキャンを行う際の光の経路の変化が分かる。スキャナ２がフラットベッド式のスキャンを行う際、ミラー２３Ａは開放溝２８から入る光線をミラー群２５の中に反射させ、ミラー群２５を通して光線をレンズ２６に順に送り、ＣＣＤといった光線検知素子上で、光線を電子信号に変換する。スキャン２がシートフィード式のスキャンを行う際、ミラー２３Ｂは開放溝２８Ｂから入る光線をミラーレンズ２４に反射させ、ミラー群２５の中に送り、光線はレンズ２６を経て光線検知素子２７上で、光線を電子信号に変換する。
【００１３】
このほか、図３Ａと図３Ｂの示すのはコア構造２０内のミラー２３Ａと２３Ｂ、活動式ミラー２４の位置図で、本実施例のコア構造２０の中で、ミラー２３Ａと２３Ｂの位置を調整して、２つのミラー２３Ａと２３Ｂは、２つのミラー２３Ａと２３Ｂの間にある像面５に対して対称的に配置されることができる。スキャナ２がシートフィード式のスキャンを行い、活動式ミラー２４を図３の示すように垂直にする時、活動式ミラー２４の反射面２４Ａはちょうど２つのミラー２３Ａと２３Ｂの間にある像面５と重なり合う。このように、このコア構造のスキャナを応用すると、フラットベッド式のスキャンかシートフィード式のスキャンかに関わらず、同じ長さのスキャンの光経路を維持することができる。
【００１４】
以上に述べた実施例は、本発明の技術アイディアおよび特徴を説明したに過ぎず、その目的はこの分野の技術者が本発明の内容と実施を理解できることであり、本発明の特許範囲を限定するものではなく、本発明の示す考えに大体において従い行う同等の変化、修飾は、本発明の特許範囲内にもちろん含まれる。
【図面の簡単な説明】
【００１５】
【図１Ａ】既存のスキャナの採用しているコア構造がフラットベッド式、シートフィード式のスキャンを行う際の位置移動図である。
【図１Ｂ】既存のスキャナの採用しているコア構造がフラットベッド式、シートフィード式のスキャンを行う際の位置移動図である。
【図２Ａ】本発明のスキャナのコア構造がフラットベッド式、シートフィード式のスキャンを行う際の光経路の切替図である。
【図２Ｂ】本発明のスキャナのコア構造がフラットベッド式、シートフィード式のスキャンを行う際の光経路の切替図である。
【図３Ａ】本発明のスキャナのコア構造がフラットベッド式、シートフィード式のスキャンを行う際の、レンズと活動式レンズの位置図である。
【図３Ｂ】本発明のスキャナのコア構造がフラットベッド式、シートフィード式のスキャンを行う際の、レンズと活動式レンズの位置図である。
【符号の説明】
【００１６】
１    スキャナ
１０  コア構造
１１  スキャナウィンドウ
１２  収納空間
２    スキャナ
２０  コア構造
２１  スキャナウィンドウ
２２A、22B  光源
２３A、2３B ミラー
２４  活動式ミラー
２４A  反射面
２５  ミラー群
２６  レンズ
２７  光線感知器
２８  ケース
２８A、２８B  開放溝
２９  活動式遮光板
３A、３B  シート
５  像面
【図１Ａ】
0004245618.tif 000002
【図１Ｂ】
0004245618.tif 000003
【図２Ａ】
0004245618.tif 000004
【図２Ｂ】
0004245618.tif 000005
【図３Ａ】
0004245618.tif 000006
【図３Ｂ】
0004245618.tif 000007